(57)【要約】  減摩コーティングを有する板紙容器が開示される。この容器は、内部体積（８２）を規定する壁パネルと、第１の主要表面（１６）および第２の主要表面（１７）を備える少なくとも１つの間仕切りパネル（５８）と、を含む。間仕切りパネル（５８）は、その第１の主要表面が内部体積内で第１のチャンバ（８４）を規定し、その第２の主要表面が内部体積内で第２のチャンバ（８６）を規定するように、内部体積（８２）内に配置される。開示される容器は、間仕切りパネル（５８）の第１および／または第２の主要表面の少なくとも一部に塗布された減摩コーティング（９２）を有する。
2013542889.tif 000002
【特許請求の範囲】
【請求項１】
少なくとも１つの壁パネルと少なくとも１つの間仕切りパネルとを規定する板紙基材であって、前記壁パネルが内部体積を規定し、前記間仕切りパネルが第１および第２の主要表面を含み、前記間仕切りパネルが、前記第１の主要表面が前記内部体積内で第１のチャンバを規定し、前記第２の主要表面が前記内部体積内で第２のチャンバを規定するように前記内部体積内に配置される、板紙基材と、
前記第１の主要表面および前記第２の主要表面の少なくとも１つの少なくとも一部に塗布される減摩コーティングと、を備える板紙容器。
【請求項２】
前記板紙基材が、コーティングされた面およびコーティングされていない面を含むＣ１Ｓ板紙基材である、請求項１に記載の板紙容器。
【請求項３】
前記コーティングされた面がクレーを備える、請求項２に記載の板紙容器。
【請求項４】
前記減摩コーティングが前記間仕切りパネルの前記コーティングされた面に塗布された、請求項２に記載の板紙容器。
【請求項５】
前記減摩コーティングが第１の摩擦係数を有し、前記板紙基材の前記コーティングされた面が第２の摩擦係数を有し、前記第１の摩擦係数が前記第２の摩擦係数よりも小さい、請求項２に記載の板紙容器。
【請求項６】
前記第１の摩擦係数が、最大でも前記第２の摩擦係数の９０パーセントである、請求項５に記載の板紙容器。
【請求項７】
前記減摩コーティングが第１の摩擦係数を有し、前記板紙基材の前記コーティングされていない面が第２の摩擦係数を有し、前記第１の摩擦係数が最大でも前記第２の摩擦係数である、請求項２に記載の板紙容器。
【請求項８】
前記間仕切りパネルの前記第１の主要表面が表面積を規定し、前記減摩コーティングが前記表面積の少なくとも５０パーセントを被覆する、請求項１に記載の板紙容器。
【請求項９】
前記減摩コーティングが前記表面積の少なくとも７５パーセントを被覆する、請求項８に記載の板紙容器。
【請求項１０】
前記減摩コーティングが前記表面積の少なくとも９０パーセントを被覆する、請求項８に記載の板紙容器。
【請求項１１】
前記減摩コーティングが前記表面積の１００パーセントを被覆する、請求項８に記載の板紙容器。
【請求項１２】
前記減摩コーティングがニスおよびインクの少なくとも１つを備える、請求項１に記載の板紙容器。
【請求項１３】
前記減摩コーティングがグロスコーティングである、請求項１に記載の板紙容器。
【請求項１４】
５０パーセントの相対湿度においてＴＭＩ３２−２５摩擦係数試験機を使用して測定された通り、前記減摩コーティングが最大で１５°の滑り角度を有する、請求項１に記載の板紙容器。
【請求項１５】
５０パーセントの相対湿度においてＴＭＩ３２−２５摩擦係数試験機を使用して測定された通り、前記減摩コーティングが最大で１１°の滑り角度を有する、請求項１に記載の板紙容器。
【請求項１６】
長手方向に向かい合う前端部および後端部を有し、前記前端部と前記後端部との間に少なくとも部分的に伸展しかつその下に製品陳列エリアが提供される上部支持デッキを含むフレームを備えるディスペンサと、
前記上部支持デッキ上に配置される請求項１に記載の板紙容器と、を備える分配システム。
【請求項１７】
前記板紙容器が複数個の製品を収容する、請求項１６に記載の分配システム。
【請求項１８】
クレーコーティングされた面およびクレーコーティングされていない面を有する板紙基材であって、前記板紙基材が複数の壁パネルおよび少なくとも１つの間仕切りパネルを規定し、前記複数の壁パネルが内部体積を規定する３次元構造に組み立てられ、前記間仕切りパネルが、前記間仕切りパネルの前記クレーコーティングされた面が前記内部体積内で第１のチャンバを規定し、前記間仕切りパネルの前記クレーコーティングされていない面が前記内部体積内で第２のチャンバを規定するように前記内部体積内に配置される、板紙基材と、
前記間仕切りパネルの前記クレーコーティングされた面に塗布される減摩コーティングと、を備える板紙容器。
【請求項１９】
前記減摩コーティングがグロスコーティングである、請求項１８に記載の板紙容器。
【請求項２０】
前記減摩コーティングが第１の摩擦係数を有し、前記板紙基材の前記クレーコーティングされた面が第２の摩擦係数を有し、前記第１の摩擦係数が最大でも前記第２の摩擦係数の９０パーセントである、請求項１８に記載の板紙容器。
【発明の詳細な説明】
【技術分野】
【０００１】
本出願は、カートンや箱等の板紙容器に関し、より詳細には、その内部表面上に減摩コーティングを有する板紙容器に関する。
【背景技術】
【０００２】
製品は、通常、多数の個別の製品をカートンや箱等の容器に入れることによって、ばら積みで小売業者に出荷される。例えば、缶詰のスープは、２４個の個別の缶を含む箱に入って、小売業者に出荷され得る。そして、個々の製品を容器から取り出し、（例えば棚の上などで）顧客に提示するのは、通常、小売業者の責任である。
【０００３】
梱包−発送−荷解き−陳列という従来のモデルに代わるものが、作業効率の改善を図るために開発されている。例えば、特許文献１には、容器内に梱包された製品を分配し陳列する新しいシステムが開示されている。具体的には、このシステムは、支持構造、製品陳列エリア、および開封ツールを有するフレームを含む。フレームは小売業者の棚上に配置され、複数個の製品を含む容器をフレームの支持構造上にただ置くだけでフレームに製品が積まれ得る。容器が支持構造上に置かれるにつれて、重力を受けて、製品が容器から分配され、フレームの製品陳列エリアに移動されるよう、フレームの開封ツールが容器を開封する。
【先行技術文献】
【特許文献】
【０００４】
【特許文献１】米国特許第７９２２４３７号明細書
【発明の概要】
【発明が解決しようとする課題】
【０００５】
残念ながら、時折このようなシステムでは詰まりが生じ、それにより容器からフレームの製品陳列エリアへの製品の進行が妨げられる。このような詰まりは、容器に対して製品が意図された通りに動かない場合に起こることが判明している。
【０００６】
したがって、当業者は、梱包容器から製品を分配する装置および方法に関する調査および開発の努力を続けている。
【課題を解決するための手段】
【０００７】
１つの態様において、開示される板紙容器は、外表面と少なくとも１つの内表面とを有する３次元構造に組み立てられた板紙基材を含んでもよく、内表面の少なくとも一部は塗布された減摩コーティングを含む。
【０００８】
他の態様において、開示される板紙容器は、少なくとも１つの壁パネルと、少なくとも１つの間仕切りパネルとを規定する板紙基材であって、壁パネルが内部体積を規定し、間仕切りパネルが第１の主要表面および第２の主要表面を含み、間仕切りパネルが、第１の主要表面が内部体積内で第１のチャンバを規定し、第２の主要表面が内部体積内で第２のチャンバを規定するように内部体積内に配置される、板紙基材と、第１および／または第２の主要表面の少なくとも一部に塗布される減摩コーティングと、を含んでもよい。
【０００９】
他の態様において、開示される板紙容器は、クレーコーティングされた面およびされていない面を有する板紙基材であって、板紙基材が複数の壁パネルおよび少なくとも１つの間仕切りパネルを規定し、壁パネルが内部体積を規定する３次元構造に組み立てられ、間仕切りパネルが、間仕切りパネルのクレーコーティングされた面が内部体積内で第１のチャンバを規定し、間仕切りパネルのクレーコーティングされていない面が内部体積内で第２のチャンバを規定するように内部体積内に配置される、板紙基材と、間仕切りパネルのクレーコーティングされた面に塗布される減摩コーティングと、を含んでもよい。
【００１０】
更に他の態様において、開示される板紙容器は、クレーコーティングされた面およびされていない面を有する板紙基材であって、板紙基材が複数の壁パネルおよび少なくとも１つの間仕切りパネルを規定し、壁パネルが内部体積を規定する３次元直線構造に組み立てられ、間仕切りパネルが、間仕切りパネルのクレーコーティングされた面が内部体積内で第１のチャンバを規定し、間仕切りパネルのクレーコーティングされていない面が内部体積内で第２のチャンバを規定するように内部体積内に配置される、板紙基材と、間仕切りパネルのクレーコーティングされた面に塗布されるグロスコーティングであって、板紙基材のクレーコーティングされた面の摩擦係数よりも実質的に小さい摩擦係数を有するグロスコーティングと、を含んでもよい。
【００１１】
開示される減摩コーティングを有する板紙容器の他の態様は、以下の説明、添付の図面、および添付の特許請求の範囲から明らかになるであろう。
【図面の簡単な説明】
【００１２】
【図１】本開示の一態様による、減摩コーティングを有する板紙容器の形成に有用である容器ブランクの上面図である。
【図２】図１の容器ブランクから形成された板紙容器の正面斜視図である。
【図３】図２の板紙容器の側面側の断面図である。
【図４】図３の板紙容器の第１の部分の詳細な断面図である。
【図５】図３の板紙容器の第２の部分の詳細な断面図である。
【発明を実施するための形態】
【００１３】
板紙容器は、コーティングされた第１の主要表面およびコーティングされていない第２の主要表面を有するＣ１Ｓ板紙基材から形成され得る。板紙基材のコーティングされていない面は、完成容器の内側に向けられてもよい。コーティングされた面は、クレー等でコーティングされてもよく、完成容器の外側に向けられてもよい。完成容器を形成する前に、様々な印や画像が板紙基材のコーティングされた面にプリントされてもよい。
【００１４】
他の種類の板紙基材も、開示される減摩コーティングを有する板紙容器を形成するために使用され得る。例えば、開示される板紙容器は、板紙基材の両主要表面上にコーティング（例えば、クレー）を含み得るＣ２Ｓ板紙基材から形成され得る。適切な板紙基材の他の例が、当業者に明らかになるであろう。
【００１５】
現在では、板紙基材のある特定の表面が、容器に対する製品の動きを妨げるのに十分に高い摩擦係数を有し得ることが判明している。例えば、板紙基材のクレーコーティングされた面が、板紙基材のコーティングされていない面よりも著しく高い摩擦係数を有することが判明している。そのため製品は、板紙基材のコーティングされていない面に対して希望通りに動き得る。しかし、もし製品が板紙基材のコーティングされた面と接触すると、製品とコーティングされた面との間の摩擦が、容器に対する製品の動きを妨げることがある。
【００１６】
したがって、容器に対する製品の希望する動きを促進するため、板紙容器の内部表面の全体または一部に減摩コーティングが塗布されてもよい。特に、減摩コーティングは、比較的高い摩擦係数を有する板紙容器の内部表面の一部（例えば、クレーコーティングされた部分）に塗布されてもよく、これによって、そのような場所の実効摩擦係数を減少させて、容器に対する製品の希望する動きを促進する。
【００１７】
本開示の一態様に従って、図１ないし図３を参照すると、通常１０で示される容器ブランク（図１）は、通常１２で示される減摩コーティングを有する板紙容器（図２および３）を形成するために使用され得る。図２および３において示される板紙容器１２は、開示される減摩コーティングを有する板紙容器の一つの具体例に過ぎない。当業者は、様々なサイズ、形状、構造、および次元の板紙容器が、本開示の範囲を逸脱することなく形成され得ることを理解するであろう。
【００１８】
容器ブランク１０は、その外周１４を規定するために、板紙基材材料のシートから事前に切断されてもよい。上述のように、様々な板紙基材が容器ブランク１０、そして最終的には開示される板紙容器１２を形成するために使用され得る。
【００１９】
図５によく示されているように、一実施形態において、容器ブランク１０は、板紙基材の第１の（例えば、コーティングされた）主要表面１６を規定するコーティング層８８と、板紙基材の第２の（例えば、コーティングされていない）主要表面１７を規定する板紙層９０と、を有するＣ１Ｓ板紙基材から切断されてもよい。コーティング層８８は、例えばカオリンクレー等のクレーを含み得る。任意で、第１の主要表面１６の一部、特に完成容器１２（図２）の外表面を形成する第１の主要表面１６のある特定の部分には、様々な文字列および／または画像がプリントされてもよく、これによってコーティング層８８の上に追加層が形成される。
【００２０】
容器ブランク１０は、４つの側壁パネル３６、３８、４０、４２と、第１の端部囲みパネル４４、４６、４８、５０と、第２の端部囲みパネル５２、５４、５６と、間仕切りパネル５８と、間仕切り支持パネル６０、６２、６４と、を規定する複数の予備成形された折り目１８、２０、２２、２４、２６、２８、３０、３２、３４を含み得る。具体的には、側壁パネル３６は折り目１８、３０、および３２によって規定されてもよく、側壁パネル３８は折り目１８、２０、３０、および３２によって規定されてもよく、側壁パネル４０は折り目２０、２２、および３０によって規定されてもよく、側壁パネル４２は折り目２２、２４、３０、３４によって規定されてもよい。第１の端部囲みパネル４４、４６、４８、５０は折り目３０によって規定されてもよい。第２の端部囲みパネル５２および５４は折り目３２によって規定されてもよく、第２の端部囲みパネル５６は折り目３４によって規定されてもよい。間仕切りパネル５８は折り目２６、２８、および３０によって規定されてもよい。間仕切り支持パネル６０は折り目２４、２６、および３０によって規定されてもよく、間仕切り支持パネル６２は折り目３０によって規定されてもよく、間仕切り支持パネル６４は折り目２８によって規定されてもよい。
【００２１】
ここで図２および３を参照すると、図１の容器ブランク１０は、容器ブランク１０の側壁パネル３６、３８、４０、４２に対応する４つの側壁７０、７２、７４、７６と、容器ブランク１０の第１の端部囲みパネル４４、４６、４８、５０から構成される第１の（例えば、後部）端壁７８と、容器ブランク１０の第２の端部囲みパネル５２、５４、５６から構成される第２の（例えば、前部）端壁８０と、を有する３次元直線構造に折り込まれてもよい。板紙容器１２の側壁７０、７２、７４、７６および端壁７８、８０は、完全にまたは単に部分的に壁７０、７２、７４、７６、７８、８０によって囲まれ得る内部体積８２（図３）を規定し得る。例えば、第２の端壁８０は、板紙容器１２の内部体積８２への開口部８４（図２）を規定し得る。
【００２２】
図３に示されるように、間仕切りパネル５８は、板紙容器１２の内部体積８２を第１のチャンバ８４と第２のチャンバ８６とに分割し得る。例えば、間仕切りパネル５８は、側壁７０から側壁７４へ伸展し、側壁７２、７６によって規定される平面に一般的に平行な平面を規定し得る。間仕切りパネル５８は、（例えば、機械式留め具、接着剤および／またはテープによって）間仕切り支持パネル６０を側壁７０に接続し、間仕切り支持パネル６２を第１の端壁７８に接続し、間仕切り支持パネル６４を側壁７４に接続することで、内部体積８２内で固定され得る。
【００２３】
図１および４に示されるように、間仕切りパネル５８の第１の主要表面１６’は、板紙基材のコーティング（例えば、クレーコーティング）層８８の上に配置される（図１において平行線模様で示される）減摩コーティング９２を含み得る。減摩コーティング９２は、減摩コーティングとして使用される材料の種類によって決まり得る断面層厚さＴを有してもよい。例えば、減摩コーティング９２の厚さＴは、約０．５ミルから３ミルに及んでもよい。
【００２４】
間仕切りパネル５８の第１の主要表面１６’の約１００パーセントを覆った状態で減摩コーティング９２が示されているが、当業者は、１００パーセント未満の被覆範囲が用いられてもよいこと、それでも必要とされる摩擦の減少をもたらし得ることを理解するであろう。例えば、減摩コーティング９２は、本開示の範囲を逸脱することなく、例えば間仕切りパネル５８の第１の主要表面１６の少なくとも約７５パーセント、または間仕切りパネル５８の第１の主要表面１６の少なくとも９０パーセント等の、間仕切りパネル５８の第１の主要表面１６の少なくとも５０パーセントを被覆し得る。
【００２５】
第１の構成において、減摩コーティング９２は、コーティング層８８（図４）の摩擦係数より小さい摩擦係数をもたらす任意のコーティング材料であってもよい。第１の構成の第１の方式において、減摩コーティング９２は、下層のコーティング層８８の摩擦係数の最大でも９０パーセントの摩擦係数を生じ得る。第１の構成の第２の方式において、減摩コーティング９２は、下層のコーティング層８８の摩擦係数の最大でも８０パーセントの摩擦係数を生じ得る。第１の構成の第３の方式において、減摩コーティング９２は、下層のコーティング層８８の摩擦係数の最大でも７０パーセントの摩擦係数を生じ得る。
【００２６】
第２の構成において、減摩コーティング９２は、下層にあるがコーティングされていない板紙層９０の摩擦係数と同一のまたはこれより小さい摩擦係数をもたらす任意のコーティング材料であってもよい。
【００２７】
第３の構成において、減摩コーティング９２は、上述の米国特許第７９２２４３７号明細書に開示されるフレームのようなディスペンサ上に板紙容器１２が積まれた時に、製品９４（図３）を板紙容器１２から移動および分配させるのに十分に低い摩擦係数をもたらす任意のコーティング材料であってもよい。したがって、減摩コーティング９２は、板紙容器１２とともに使用されるディスペンサの種類に基づいて選択され得る。
【００２８】
ニス、グロスコーティング、インク（例えば、色インキ）、およびプリントを含む製紙業界において使用される様々なコーティング組成物が、適切な減摩コーティング９２を構成することが判明している。１つの特定の限定されない例において、減摩コーティング９２は、ノースカロライナ州のＣｏａｔｉｎｇｓ  ＆  Ａｄｈｅｓｉｖｅｓ  Ｃｏｒｐｏｒａｔｉｏｎ  ｏｆ  Ｌｅｌａｎｄから入手可能である１４６９Ｅ低角グロスコーティングであってもよい。５０パーセント（±５パーセント）の相対湿度において、１４６９Ｅ低角グロスコーティングが１１°（±４°）の滑り角度（ＴＭＩ３２−２５）を有することが、対面構成を使用した静摩擦試験によって示されている。
【００２９】
したがって、容器ブランク１０の第２の主要表面１７は、板紙容器１２の第１のチャンバ８４の各内表面を規定し得るが、第２のチャンバ８６の内表面は、容器ブランク１０の第２の主要表面１７と、間仕切りパネル５８の第１の主要表面１６’（例えば、減摩コーティング９２を含む間仕切りパネル５８の表面）との両方によって規定され得る。そのため、板紙容器１２の内部体積８２において受け取られた製品９４は、板紙基材のコーティング層８８との接触が絶たれることがあり、これによって板紙容器１２に対する製品９４の動きが改善される。
【００３０】
間仕切りパネル５８の第１の主要表面１６’上のみにある減摩コーティング９２（図４）とともに板紙容器１２が示され、説明されているが、当業者は、減摩コーティングを板紙容器１２の他の内表面に塗布することによって利点を得ることがある点を理解するであろう。例えば、別の実施形態において、板紙容器１２の全ての（または実質的にすべての）内表面に減摩コーティング９２が与えられてもよい。
【００３１】
開示される減摩コーティングを有する板紙容器の様々な態様が示され、説明されてきたが、当業者が明細書を読んで修正を思いつく可能性がある。本出願はそのような修正を含み、特許請求の範囲の範囲によってのみ限定される。
【符号の説明】
【００３２】
１０  容器ブランク
１２  板紙容器
１４  外周
１６、１６’  第１の主要表面
１７  第２の主要表面
１８、２０、２２、２４、２６、２８、３０、３２、３４  予備成形された折り目
３６、３８、４０、４２  側壁パネル
４４、４６、４８、５０  第１の端部囲みパネル
５２、５４、５６  第２の端部囲みパネル
５８  間仕切りパネル
６０、６２、６４  間仕切り支持パネル
７０、７２、７４、７６  側壁
７８  第１の端壁
８０  第２の端壁
８２  内部体積
８４  第１のチャンバ
８６  第２のチャンバ
８８  コーティング層
９０  板紙層
９２  減摩コーティング
９４  製品
【図１】
2013542889.tif 000003
【図２】
2013542889.tif 000004
【図３】
2013542889.tif 000005
【図４】
2013542889.tif 000006
【図５】
2013542889.tif 000007
【国際調査報告】
2013542889.tif 000008
2013542889.tif 000009
2013542889.tif 000010